(57)【要約】  中性点非接地あるいは中性点非有効接地の無負荷の三相変圧器の閉極動作に伴う励磁突入電流の発生を抑制可能とする位相制御開閉装置を得ること。残留磁束の絶対値が最も大きい相を検出して第一投入相とし、第一投入相が投入された後に、残る相のうちの任意の相を第二投入相とし、第二投入相が投入された後に、残る相を第三投入相とし、各相毎に、各投入相の負荷側磁束の極性および大きさと、電源側磁束の極性および大きさとが、１サイクル中において一致する２つの磁束一致位相のうち、遮断器の機械的な動作ばらつきによる負荷側磁束と電源側磁束との間の磁束誤差が小さい方を各投入相の目標投入位相として、各相個別に各目標投入位相で投入するようにした。
2012059980.tif 000002
【特許請求の範囲】
【請求項１】
電源と、中性点非接地あるいは中性点非有効接地の無負荷の三相変圧器との間に三相開閉装置が接続される構成に適用され、前記三相開閉装置の閉極位相を制御する位相制御開閉装置において、
前記三相開閉装置の開極後において、前記三相開閉装置側における各相負荷側磁束の絶対値が最も大きい相を検出して第一投入相とし、前記第一投入相以外の任意の相を第二投入相および第三投入相とし、各相毎に、前記各相負荷側磁束の極性および大きさと、前記電源側における各相電源側磁束の極性および大きさとが、一周期中において一致する２つの磁束一致位相のうち、前記三相開閉装置の機械的な動作ばらつきによる前記負荷側磁束と前記電源側磁束との間の磁束誤差が小さい方を各相目標投入位相とし、前記各相目標投入位相で各相個別に投入する
ことを特徴とする位相制御開閉装置。
【請求項２】
前記三相変圧器は、Ｙ結線の一次巻線と、少なくとも一つ以上のΔ結線の二次巻線あるいは三次結線とを有する変圧器であり、
前記電源側の各相電源側電圧を検出する電源側電圧検出部と、
前記三相変圧器側の各相負荷側電圧を検出する負荷側電圧検出部と、
前記各相電源側電圧を積分して前記各相電源側磁束を算出する電源側磁束算出部と、
前記各相負荷側電圧を積分して前記各相負荷側磁束を算出する負荷側磁束算出部と、
前記三相開閉装置の開極後における前記各相負荷側磁束の絶対値に基づいて投入順序を決定すると共に、各相毎に、前記磁束誤差が小さい前記磁束一致位相を前記各相目標投入位相とする位相検出部と、
前記各相目標投入位相で各相個別に投入されるように前記三相開閉装置を制御する投入指令制御部と、
を備えることを特徴とする請求項１に記載の位相制御開閉装置。
【請求項３】
前記三相変圧器は、Ｙ結線の一次巻線と、Ｙ結線の二次巻線とを有するコアタイプの変圧器であり、
前記電源側の各相電源側電圧を検出する電源側電圧検出部と、
前記三相変圧器側の各相負荷側電圧を検出する負荷側電圧検出部と、
前記各相電源側電圧を積分して前記各相電源側磁束を算出する電源側磁束算出部と、
前記各相負荷側電圧を積分して前記各相負荷側磁束を算出する負荷側磁束算出部と、
前記三相開閉装置の開極後における前記各相負荷側磁束の絶対値に基づいて投入順序を決定すると共に、各相毎に、前記磁束誤差が小さい前記磁束一致位相を前記各相目標投入位相とする位相検出部と、
前記各相目標投入位相で各相個別に投入されるように前記三相開閉装置を制御する投入指令制御部と、
を備えることを特徴とする請求項１に記載の位相制御開閉装置。
【請求項４】
前記位相検出部は、各相毎に、前記磁束一致位相に応じて求められる前記磁束誤差が最小となるように、前記各相目標投入位相をシフトすることを特徴とする請求項２または３に記載の位相制御開閉装置。
【請求項５】
電源と、中性点非接地あるいは中性点非有効接地の無負荷の三相変圧器との間に三相開閉装置が接続される構成に適用される閉極位相制御方法であって、
前記電源側の各相電源側電圧を検出するステップと、
前記三相変圧器側の各相負荷側電圧を検出するステップと、
前記各相電源側電圧を積分して各相電源側磁束を算出するステップと、
前記各相負荷側電圧を積分して各相負荷側磁束を算出するステップと、
前記負荷側磁束の絶対値が最も大きい相を検出して第一投入相とするステップと、
前記第一投入相の負荷側磁束の極性および大きさと、前記第一投入相の電源側磁束の極性および大きさとが、前記第一投入相の一周期中において一致する２つの磁束一致位相のうち、前記三相変圧器の機械的な動作ばらつきによる前記負荷側磁束と前記電源側磁束との間の磁束誤差が小さい方を前記第一投入相の目標投入位相として前記第一投入相を投入させるステップと、
前記第一投入相が投入させた後に、残る相のうちの任意の相を第二投入相とするステップと、
前記第二投入相の負荷側磁束の極性および大きさと、前記第二投入相の電源側磁束の極性および大きさとが、前記第二投入相の一周期中において一致する２つの磁束一致位相のうち、前記磁束誤差が小さい方を前記第二投入相の目標投入位相として前記第二投入相を投入させるステップと、
前記第二投入相が投入させた後に、残る相を第三投入相とするステップと、
前記第三投入相の負荷側磁束の極性および大きさと、前記第三投入相の電源側磁束の極性および大きさとが、前記第三投入相の一周期中において一致する２つの磁束一致位相のうち、前記磁束誤差が小さい方を前記第三投入相の目標投入位相として前記第三投入相を投入させるステップと、
を有することを特徴とする閉極位相制御方法。
【発明の詳細な説明】
【技術分野】
【０００１】
本発明は、遮断器の開閉タイミングを制御する位相制御開閉装置に関する。
【背景技術】
【０００２】
従来、中性点非接地あるいは、中性点を高抵抗によって接地された中性点非有効接地の無負荷の三相変圧器に電源を投入する際には、三相電源の線間の定常磁束と三相変圧器の１次側の線間の残留磁束との極性、および大きさが一致する位相を検出し、その位相において、その線間に接続された２相の遮断器を投入し、その後残る１相の遮断器を投入することにより、励磁突入電流の発生を抑制する技術が開示されている（例えば、特許文献１）。
【先行技術文献】
【特許文献】
【０００３】
【特許文献１】特開２０１０−００４６８６号公報
【発明の概要】
【発明が解決しようとする課題】
【０００４】
しかしながら、遮断器の閉極過程における遮断器極間の絶縁耐力変化率特性線（ＲＤＤＳ：Rate of
Decrease of Dielectric Strength）の傾きと遮断器の機械的なばらつきとにより、投入目標とする位相によっては、その位相における残留磁束と定常磁束との間の磁束誤差の範囲が大きくなる場合があり、この磁束誤差が大きくなると、励磁突入電流の発生を抑制できなくなる。上記従来技術では、どちらか１相の磁束誤差の範囲が最小となるような位相を目標投入位相とすると、残りの１相については、２相同時投入であるので、必然的に磁束誤差の範囲が大きくなるような位相を目標投入位相とせざるを得ない可能性があるため、励磁突入電流の発生を抑制できない場合がある、という課題があった。【０００５】
本発明は、上記に鑑みてなされたものであって、中性点非接地あるいは中性点非有効接地の無負荷の三相変圧器の閉極動作に伴う励磁突入電流の発生を抑制可能とする位相制御開閉装置を提供することを目的とする。
【課題を解決するための手段】
【０００６】
上述した課題を解決し、目的を達成するため、本発明にかかる位相制御開閉装置は、電源と、中性点非接地あるいは中性点非有効接地の無負荷の三相変圧器との間に三相開閉装置が接続される構成に適用され、前記三相開閉装置の閉極位相を制御する位相制御開閉装置において、前記三相開閉装置の開極後において、前記三相開閉装置側における各相負荷側磁束の絶対値が最も大きい相を検出して第一投入相とし、前記第一投入相以外の任意の相を第二投入相および第三投入相とし、各相毎に、前記各相負荷側磁束の極性および大きさと、前記電源側における各相電源側磁束の極性および大きさとが、一周期中において一致する２つの磁束一致位相のうち、前記三相開閉装置の機械的な動作ばらつきによる前記負荷側磁束と前記電源側磁束との間の磁束誤差が小さい方を各相目標投入位相とし、前記各相目標投入位相で各相個別に投入することを特徴とする。
【発明の効果】
【０００７】
本発明によれば、中性点非接地あるいは中性点非有効接地の無負荷の三相変圧器の閉極動作に伴う励磁突入電流の発生を抑制することができる、という効果を奏する。
【図面の簡単な説明】
【０００８】
【図１】図１は、実施の形態にかかる位相制御開閉装置の一構成例を示す図である。
【図２】図２は、実施の形態にかかる位相制御開閉装置の一構成例を示す図である。
【図３】図３は、実施の形態にかかる位相制御開閉装置の一構成例を示す図である。
【図４】図４は、実施の形態にかかる位相制御開閉装置の一構成例を示す図である。
【図５】図５は、実施の形態にかかる位相制御開閉装置の動作を説明するための各部波形図である。
【図６】図６は、第一投入相の目標投入位相の決定手法を説明するための図である。
【図７】図７は、二相を同時に投入する場合における磁束誤差範囲を説明する図である。
【発明を実施するための形態】
【０００９】
以下に添付図面を参照し、本発明の実施の形態にかかる位相制御開閉装置について説明する。なお、以下に示す実施の形態により本発明が限定されるものではない。
【００１０】
実施の形態．
図１〜図４は、各々実施の形態にかかる位相制御開閉装置の一構成例を示す図である。実施の形態にかかる位相制御開閉装置は、図１〜図４に示すように、中性点非接地あるいは中性点非有効接地の無負荷の三相変圧器２０を負荷側回路として接続される。図１〜図４において、三相開閉装置である遮断器５２は、同図左方側に示されるＡ相電源１０ａ、Ｂ相電源１０ｂ、およびＣ相電源１０ｃからなる三相電源と、同図右方側に示される三相変圧器２０との間に接続されている。この遮断器５２は、消弧室５２ａ，５２ｂ，５２ｃを具備すると共に、消弧室５２ａ，５２ｂ，５２ｃ内の各接触子が独立して開閉動作することが可能である。遮断器５２の電源側には、各相電源側電圧を計測する各電源側電圧計測部７２ａ，７２ｂ，７２ｃが設けられている。また、遮断器５２の三相変圧器２０側には、各相負荷側電圧を計測する各負荷側電圧計測部７３ａ，７３ｂ，７３ｃが設けられている。
【００１１】
三相変圧器２０の構成としては、例えば図１〜図４に示す構成例が本実施の形態の対象となる。図１に示す例では、三相変圧器２０は、Ｙ結線の一次巻線２１、Δ結線の二次巻線２２、およびΔ結線の三次巻線２３を備えている。また、図２に示す例では、三相変圧器２０は、Ｙ結線の一次巻線２１、およびΔ結線の二次巻線２２を備えている。また、図３に示す例では、三相変圧器２０は、Ｙ結線の一次巻線２１、Ｙ結線の二次巻線２２、およびΔ結線の三次巻線２３を備えている。また、図４に示す例では、三相変圧器２０は、Ｙ結線の一次巻線２１、およびＹ結線の二次巻線２２を備えている。なお、図１〜図３に示す構成では、シェルタイプ（Shell Type：外鉄形鉄心）あるいはコアタイプ（Core Type：内鉄形鉄心）のいずれであってもよい。一方、図４に示す構成のように、二次、三次巻線にΔ結線を一つも含まない場合には、コアタイプである必要がある。また、図１〜図４に示す例では、三相変圧器２０は、一次巻線２１の中性点を高抵抗器２４で接地した中性点非有効接地型の変圧器として記載しているが、一次巻線２１の中性点を接地しない中性点非接地型の変圧器であってもよい。
【００１２】
実施の形態にかかる位相制御開閉装置８０は、例えばコンピュータ等により構成され、電源側電圧検出部８２と、負荷側電圧検出部８３と、各相電源側磁束を算出する電源側磁束算出部８４と、各相負荷側磁束を算出する負荷側磁束算出部８５と、位相検出部８６と、各相消弧室５２ａ，５２ｂ，５２ｃ内の各接触子に独立して投入指令を出力する投入指令制御部８７と、を備えて構成される。
【００１３】
電源側電圧検出部８２は、各電源側電圧計測部７２ａ，７２ｂ，７２ｃからの信号に基づいて各相電源側対地間電圧を検出し、電源側磁束算出部８４および位相検出部８６に出力する。
【００１４】
負荷側電圧検出部８３は、各負荷側電圧計測部７３ａ，７３ｂ，７３ｃからの信号に基づいて各相負荷側対地間電圧を検出し、負荷側磁束算出部８５および位相検出部８６に出力する。
【００１５】
電源側磁束算出部８４は、各相電源側対地間電圧を積分して各相電源側磁束を算出し、位相検出部８６に出力する。
【００１６】
負荷側磁束算出部８５は、各相負荷側対地間電圧を積分して各相負荷側磁束を算出し、位相検出部８６に出力する。
【００１７】
位相検出部８６は、各相電源側電圧、各相電源側磁束、各相負荷側電圧、および各相負荷側磁束に基づいて各相目標投入位相を検出し、投入指令制御部８７に出力する。
【００１８】
投入指令制御部８７は、各相目標投入位相で各相が電気的に投入されるように各相消弧室５２ａ，５２ｂ，５２ｃ内の各接触子を制御する。
【００１９】
つぎに、実施の形態にかかる位相制御開閉装置の動作について説明する。図５は、実施の形態にかかる位相制御開閉装置の動作を説明するための各部波形図である。
【００２０】
図５において、横軸は時間を示している。図５の各図では、時刻Ｔにおいて遮断器５２の各相接触子が遮断され、時刻ＴａにおいてＡ相接触子５２ａが投入され、時刻ＴｂにおいてＢ相接触子５２ｂが投入され、時刻ＴｃにおいてＣ相接触子５２ｃが投入された場合の各部波形を示している。
【００２１】
図５（ａ）は、各相電源側および各相負荷側の対地間電圧波形を示している。図５（ａ）において、実線で示す線はＡ相対地間電圧波形を示し、破線で示す線はＢ相対地間電圧波形を示し、一点鎖線で示す線はＣ相対地間電圧波形を示している。また、遮断時刻Ｔから各相接触子の投入時刻Ｔａ,Ｔｂ,Ｔｃまでの各相対地間電圧波形は、各細線は各相電源側対地間電圧波形を示し、各太線は各相負荷側対地間電圧波形を示している。
【００２２】
図５（ｂ）は、各相の遮断器極間電圧を示している。図５（ｂ）において、実線で示す線はＡ相遮断器極間電圧波形を示し、破線で示す線はＢ相遮断器極間電圧波形を示し、一点鎖線で示す線はＣ相遮断器極間電圧波形を示している。なお、図５（ｂ）に示す例では、各相電源側対地間電圧から各相負荷側対地間電圧を差し引いて得られる遮断器極間電圧波形を示している。
【００２３】
図５（ｃ）は、各相電源側および各相負荷側の磁束波形を示している。図５（ｃ）において、実線で示す線はＡ相磁束波形を示し、破線で示す線はＢ相磁束波形を示し、一点鎖線で示す線はＣ相磁束波形を示している。また、遮断時刻Ｔから各相接触子の投入時刻Ｔａ,Ｔｂ,Ｔｃまでの各相磁束波形は、各細線は各相電源側磁束波形を示し、各太線は各相負荷側磁束波形を示している。
【００２４】
図５（ｄ）は、遮断器５２の各相消弧室５２ａ，５２ｂ，５２ｃ内の各接触子を流れる各相遮断器電流を示している。
【００２５】
まず、第一投入相の遮断器投入動作について説明する。時刻Ｔにおいて遮断器５２の各相消弧室５２ａ，５２ｂ，５２ｃ内の各接触子が遮断されると、各相負荷側磁束波形は、図５（ｃ）に示すように、一定の残留磁束が生じる。
【００２６】
位相検出部８６は、負荷側磁束算出部８５から入力された各相負荷側磁束の絶対値が最も大きい相を検出して、この相を第一投入相とし（図５に示す例ではＡ相）、その第一投入相において、負荷側磁束（残留磁束）の極性および大きさと、電源側磁束（定常磁束）の極性および大きさとが一致する位相（以下、「磁束一致位相」という）を検出する。この第一投入相の磁束一致位相は、図５（ｃ）に示すように、１サイクル中に電源側磁束の上昇領域における磁束一致位相Ｔ１と、電源側磁束の下降領域における磁束一致位相Ｔ２との２つずつ存在する。
【００２７】
図６は、第一投入相の目標投入位相の決定手法を説明するための図である。図６（ａ）は、第一投入相（ここではＡ相）の投入前における遮断器極間電圧の絶対値波形を示し、図６（ｂ）は、同図（ａ）と同区間に相当するＡ相の負荷側磁束波形（残留磁束波形）および電源側磁束波形（定常磁束波形）を示している。
【００２８】
遮断器５２の閉極過程における遮断器極間の絶縁耐力変化率特性線（以下、「極間絶縁耐力変化率特性線」という）は、図６に示すような下降特性（例えば−４５ｋＶ／ｍｓ程度）を有しており、遮断器５２の機械的な動作ばらつきによる時間誤差（例えば±１．５ｍｓ程度）を有している。このため、図６に示す例では、遮断器極間電圧の絶対値の下降領域に存在する磁束一致位相Ｔ１を目標投入位相とすると、負荷側磁束と電源側磁束との間の磁束誤差（以下、単に「磁束誤差」という）は、図６（ｂ）に示す範囲ｈとなる。
【００２９】
一方、遮断器極間電圧の絶対値の上昇領域に存在する磁束一致位相Ｔ２を目標投入位相とすると、磁束誤差の範囲は、図６（ｂ）に示す範囲ｉとなり、磁束一致位相Ｔ１を目標投入位相とした場合よりも小さくなる。
【００３０】
したがって、位相検出部８６は、２つの磁束一致位相Ｔ１，Ｔ２のうち、磁束誤差の範囲が小さくなる方（ここではＴ２）を選択して目標投入位相とすれば、遮断器５２の機械的な動作ばらつきによる影響を小さくすることができる。
【００３１】
さらに、選択した磁束一致位相（ここではＴ２）に応じて求められる磁束誤差の範囲が最小となるように目標投入位相をシフトすれば、遮断器５２の機械的な動作ばらつきによる影響を最小限とすることができる。つまり、図６に示す例では、目標投入位相をｔ２とすれば、磁束誤差の範囲を最小範囲ｊとすることができる。
【００３２】
あるいは、各磁束一致位相Ｔ１，Ｔ２毎に、磁束誤差の範囲が最小となるように各磁束一致位相Ｔ１，Ｔ２からシフトした位相を求め、求めた位相のうち磁束誤差の範囲がより小さくなる方（ここでは位相ｔ２）を、第一投入相の目標投入位相としても、同様の効果が得られる。
【００３３】
そして、投入指令制御部８７は、第一投入相（ここではＡ相）の目標投入位相で第一投入相が電気的に投入されるように遮断器５２を制御する。
【００３４】
続いて、第二投入相の遮断器投入動作について説明する。第一投入相が投入されることにより、残るＢ相およびＣ相の負荷側磁束波形は、図５（ｃ）に示すように、それぞれ第一投入相が投入される前の残留磁束に第一投入相（ここではＡ相）の定常磁束が重畳した波形となる。
【００３５】
位相検出部８６は、時刻Ｔａにおいて第一投入相（ここではＡ相）が投入された後、残るＢ相あるいはＣ相のいずれか一方の相を第二投入相として決定し（図５に示す例ではＢ相）、その第二投入相において、負荷側磁束の極性および大きさと、電源側磁束の極性および大きさとが一致する磁束一致位相を検出する。この第二投入相の磁束一致位相は、第一投入相の場合と同様に、１サイクル中に２つずつ存在する。
【００３６】
第二投入相の２つの磁束一致位相においても、第一投入相の場合と同様に、いずれか一方の磁束一致位相における磁束誤差の範囲が、他方の磁束一致位相における磁束誤差の範囲よりも小さくなる。したがって、位相検出部８６は、第一投入相の場合と同様に、２つの磁束一致位相のうち、磁束誤差の範囲が小さくなる方を選択して目標投入位相とすれば、遮断器５２の機械的な動作ばらつきによる影響を小さくすることができる。
【００３７】
さらに、第一投入相の場合と同様に、選択した磁束一致位相に応じて求められる磁束誤差の範囲が最小となるように目標投入位相をシフトすることにより、遮断器５２の機械的な動作ばらつきによる影響を最小限とすることができる。
【００３８】
あるいは、第一投入相の場合と同様に、２つの磁束一致位相毎に、磁束誤差の範囲が最小となるように各磁束一致位相からシフトした位相を求め、求めた位相のうち磁束誤差の範囲がより小さくなる方を、第二投入相の目標投入位相としてもよい。
【００３９】
そして、投入指令制御部８７は、第二投入相（ここではＢ相）の目標投入位相で第二投入相が電気的に投入されるように遮断器５２を制御する。
【００４０】
続いて、第三投入相の遮断器投入動作について説明する。第一投入相および第二投入相が投入されることにより、残るＣ相の負荷側磁束波形は、図５（ｃ）に示すように、第二投入相が投入される前の負荷側磁束波形にさらに第二投入相（ここではＢ相）の定常磁束が重畳した波形となる。
【００４１】
位相検出部８６は、時刻Ｔｂにおいて第二投入相（ここではＢ相）が投入された後、残るＣ相を第三投入相とし、その第三投入相において、負荷側磁束の極性および大きさと、電源側磁束の極性および大きさとが一致する磁束一致位相を検出する。この第三投入相の磁束一致位相は、第一投入相および第二投入相の場合と同様に、１サイクル中に２つずつ存在する。
【００４２】
第三投入相の２つの磁束一致位相においても、第一投入相および第二投入相の場合と同様に、いずれか一方の磁束一致位相における磁束誤差の範囲が、他方の磁束一致位相における磁束誤差の範囲よりも小さくなる。したがって、位相検出部８６は、第一投入相および第二投入相の場合と同様に、２つの磁束一致位相のうち、磁束誤差の範囲が小さくなる方を選択して目標投入位相とすれば、遮断器５２の機械的な動作ばらつきによる影響を小さくすることができる。
【００４３】
さらに、第一投入相および第二投入相の場合と同様に、選択した磁束一致位相に応じて求められる磁束誤差の範囲が最小となるように目標投入位相をシフトすることにより、遮断器５２の機械的な動作ばらつきによる影響を最小限とすることができる。
【００４４】
あるいは、第一投入相および第二投入相の場合と同様に、２つの磁束一致位相毎に、磁束誤差の範囲が最小となるように各磁束一致位相からシフトした位相を求め、求めた位相のうち磁束誤差の範囲がより小さくなる方を、第三投入相の目標投入位相としてもよい。
【００４５】
そして、投入指令制御部８７は、第三投入相（ここではＣ相）の目標投入位相で第三投入相が電気的に投入されるように遮断器５２を制御する。
【００４６】
このように、各相個別に磁束一致位相を求め、それぞれの磁束一致位相に応じて求められる磁束誤差の範囲が最小となる位相を目標投入位相として、各相目標投入位相で電気的に投入されるように各相消弧室５２ａ，５２ｂ，５２ｃ内の各接触子を制御することにより、遮断器５２の機械的な動作ばらつきによる影響を最小限とすることができ、図５（ｄ）に示すように、三相変圧器２０の閉極動作に伴う励磁突入電流の発生を抑制することができる。
【００４７】
ここで、本実施の形態との比較として、二相を同時に投入する例において、遮断器５２の機械的な動作ばらつきによる極間絶縁耐力変化率特性線の時間誤差が磁束誤差に与える影響について説明する。図７は、二相を同時に投入する場合における磁束誤差を説明する図である。図７（ａ）は、Ａ相およびＢ相の遮断器極間電圧の絶対値波形を示し、図７（ｂ）は、Ａ相およびＢ相の残留磁束波形（負荷側磁束波形）および定常磁束波形（電源側磁束波形）を示している。
【００４８】
図７に示すように、二相を同時に投入する場合は、一方の相（ここではＢ相）については、遮断器５２の機械的な動作ばらつきによる影響が小さく、磁束誤差の範囲（図７（ｂ）の範囲ｋ）が小さくなる位相で投入することができるが、他方の相（ここではＡ相）については、遮断器５２の機械的な動作ばらつきによる影響が大きくなり、磁束誤差の範囲（図７（ｂ）の範囲ｌ）が大きくなる位相で投入せざるを得ない。つまり、図７に示す二相を同時に投入する例では、いずれか一方の相の投入位相における磁束誤差の範囲が大きくなるため、励磁突入電流の発生を抑制することができない可能性がある。
【００４９】
以上説明したように、実施の形態の位相制御開閉装置によれば、負荷側磁束の絶対値が最も大きい相を検出して第一投入相とし、第一投入相の負荷側磁束の極性および大きさと、電源側磁束の極性および大きさとが、１サイクル中において一致する２つの磁束一致位相のうち、遮断器の機械的な動作ばらつきによる負荷側磁束と電源側磁束との間の磁束誤差の範囲が小さい方を第一投入相の目標投入位相として第一投入相を投入させ、第一投入相が投入された後に、残る相のうちの任意の相を第二投入相とし、第二投入相の負荷側磁束の極性および大きさと、電源側磁束の極性および大きさとが、１サイクル中において一致する２つの磁束一致位相のうち、磁束誤差の範囲が小さい方を第二投入相の目標投入位相として第二投入相を投入させ、第二投入相が投入された後に、残る相を第三投入相とし、第三投入相の負荷側磁束の極性および大きさと、電源側磁束の極性および大きさとが、１サイクル中において一致する２つの磁束一致位相のうち、磁束誤差の範囲が小さい方を第三投入相の目標投入位相として第三投入相を投入させるようにしたので、各相個別に最適な目標投入位相で投入することができ、中性点非接地あるいは中性点非有効接地の無負荷の三相変圧器の閉極動作に伴う励磁突入電流の発生を抑制することができる。
【００５０】
また、各相毎に、磁束一致位相に応じて求められる磁束誤差の範囲が最小となるように目標投入位相をシフトすることにより、さらに効果的に励磁突入電流の発生を抑制できる。
【００５１】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００５２】
以上のように、本発明にかかる位相制御開閉装置は、中性点非接地あるいは中性点非有効接地の無負荷の三相変圧器の閉極動作に伴う励磁突入電流の発生を抑制することができる発明として有用である。
【符号の説明】
【００５３】
１０ａ，１０ｂ，１０ｃ  三相電源
２０  三相変圧器
２１  一次巻線
２２  二次巻線
２３  三次巻線
２４  高抵抗器
５２  遮断器（三相開閉装置）
５２ａ，５２ｂ，５２ｃ  消弧室
７２ａ，７２ｂ，７２ｃ  電源側電圧計測部
７３ａ，７３ｂ，７３ｃ  負荷側電圧計測部
８０  位相制御開閉装置
８２  電源側電圧検出部
８３  負荷側電圧検出部
８４  電源側磁束算出部
８５  負荷側磁束算出部
８６  位相検出部
８７  投入指令制御部
【図１】
2012059980.tif 000003
【図２】
2012059980.tif 000004
【図３】
2012059980.tif 000005
【図４】
2012059980.tif 000006
【図５】
2012059980.tif 000007
【図６】
2012059980.tif 000008
【図７】
2012059980.tif 000009
【国際調査報告】
2012059980.tif 000010
2012059980.tif 000011
2012059980.tif 000012
2012059980.tif 000013